(57)【要約】【課題】製造コストの高騰や装置の大形化を招くことなく測定値が存在しない時間帯が生じるのを回避する。【解決手段】測定対象の物理量を測定して測定データＤを出力する測定処理を実行する測定部と、測定値記憶領域Ａ１〜ＡＮが規定された記憶部１５と、測定部に測定処理を実行させると共に測定部から出力された測定データＤを各領域Ａに順次記憶させる処理部とを備え、処理部は、領域ＡＭまで測定データＤを記憶させたときに、各領域Ａに記憶されている各測定データＤに代えてそれらを圧縮した圧縮データＤｐ１を各領域Ａの１番目から順次記憶させる第１処理を実行し、その後に、領域ＡＭまで測定データＤを記憶させたときに、各領域Ａに記憶されている各測定データＤに代えて各測定データＤを圧縮した圧縮データを既に圧縮データＤｐ１を記憶済みの領域Ａ１〜Ａ５に続けて順次記憶させる第２処理を終了条件が満たされるまで繰り返して実行する。【選択図】図６
2014110600.tif 000002
【特許請求の範囲】
【請求項１】
測定対象の物理量を測定して測定値を出力する測定処理を実行する測定部と、Ｎ個（Ｎは、３以上の自然数）の前記測定値を記憶可能に１番目からＮ番目までのＮ個の測定値記憶領域が規定された記憶部と、前記測定部を制御して前記測定処理を実行させると共に当該測定部から出力された前記測定値を前記記憶部の前記各測定値記憶領域に順次記憶させる処理部とを備えた測定装置であって、
前記処理部は、Ｍ番目（Ｍは、２以上Ｎ以下の自然数）の前記測定値記憶領域まで前記測定値を記憶させたときに、当該各測定値記憶領域に記憶されている当該各測定値に代えて当該各測定値を圧縮した圧縮データを当該各測定値記憶領域の前記１番目から順次記憶させる第１処理を実行し、その後に、前記Ｍ番目の測定値記憶領域まで前記測定値を記憶させたときに、当該各測定値記憶領域に記憶されている当該各測定値に代えて当該各測定値を圧縮した圧縮データを、既に前記圧縮データを記憶済みの前記測定値記憶領域に続けて順次記憶させる第２処理を予め規定された終了条件が満たされるまで繰り返して実行する測定装置。
【請求項２】
測定対象の物理量を測定して測定値を出力する測定処理を実行する測定部と、Ｎ個（Ｎは、３以上の自然数）の前記測定値を記憶可能に１番目からＮ番目までのＮ個の測定値記憶領域が規定された記憶部と、前記測定部を制御して前記測定処理を実行させると共に当該測定部から出力された前記測定値を前記記憶部の前記各測定値記憶領域に順次記憶させる処理部とを備えた測定装置であって、
前記処理部は、Ｍ番目（Ｍは、２以上Ｎ以下の自然数）の前記測定値記憶領域まで前記測定値を記憶させたときに、当該各測定値記憶領域に記憶されている当該各測定値に代えて当該各測定値を圧縮した圧縮データを当該各測定値記憶領域の前記１番目から順次記憶させる処理Ａを実行し、その後に、前記Ｍ番目の測定値記憶領域まで前記測定値を記憶させたときに、当該各測定値記憶領域に記憶されている前記圧縮データおよび当該各測定値に代えて当該圧縮データおよび当該各測定値を圧縮した圧縮データを前記各測定値記憶領域の前記１番目から順次記憶させる処理Ｂを予め規定された終了条件が満たされるまで繰り返して実行する測定装置。
【請求項３】
前記処理部の制御に従って前記測定値を外部装置に送信する通信部を備え、
前記処理部は、前記記憶部に前記圧縮データが未記憶で、かつ前記測定値が記憶されている状態において予め規定された送信条件が満たされたときに、前記通信部を制御して当該測定値を送信させ、前記記憶部に前記測定値および前記圧縮データが記憶されている状態において前記送信条件が満たされたときに、前記通信部を制御して当該測定値および当該圧縮データを送信させる請求項１または２記載の測定装置。
【請求項４】
請求項３記載の測定装置、および前記外部装置としての測定データ回収装置を備えて構成されている測定システム。
【発明の詳細な説明】
【技術分野】
【０００１】
本発明は、測定対象の物理量を測定した測定値を記憶部の各測定値記憶領域に順次記憶させる構成の測定装置、および、そのような測定装置と測定データ回収装置とを備えて構成された測定システムに関するものである。
【背景技術】
【０００２】
この種の測定装置を備えて構成された測定システムとして、計測器、送信側手段および受信側手段を備えて構成された送受信システムが特開２０１１−１０１１５４号公報に開示されている。この送受信システムでは、上記の計測器として「締付トルク測定ユニット」を備え、計測器によって計測された計測値（測定値：この例では、締付機による締め付けトルクの値）が送信側手段に出力され、この計測値が送信側手段から受信側手段に送信されて受信側手段に蓄積される構成が採用されている。
【０００３】
この場合、送信側手段は、リングバッファメモリを有する送信側制御手段を備え、この送信側制御手段が、計測器から出力された計測値をリングバッファメモリの各記憶領域に順次記憶させると共に、記憶させた計測値を、送信側回路および送信側アンテナを介して受信側手段に送信する構成が採用されている。したがって、この送受信システムでは、例えば送信側手段と受信側手段との間の通信状態が一時的に悪化したとしても、計測器から出力された計測値（受信側手段に送信することのできない計測値）をリングバッファメモリに蓄積しておくことが可能となっている。これにより、従来の送受信システムでは、通信状態が良好となったときに、送信側手段（リングバッファメモリ）に蓄積しておいた計測値を受信側手段に順次送信して受信側手段に蓄積させることが可能となっている。
【先行技術文献】
【特許文献】
【０００４】
【特許文献１】特開２０１１−１０１１５４号公報（第４−６頁、第１−３図）
【発明の概要】
【発明が解決しようとする課題】
【０００５】
ところが、従来の送受信システムには、以下の解決すべき問題点が存在する。すなわち、従来の送受信システムでは、送信側手段における送信側制御手段にリングバッファメモリを設けることにより、送信側手段から受信側手段に計測値を送信することができなくなったときに、この計測値を送信側手段に一時的に蓄積しておくことができる構成が採用されている。この場合、リングバッファメモリは、計測値を記憶する記憶領域の数が有限であるため、記憶領域の数を超える計測値を記憶させようとしたときには、最初に記憶させた計測値から順に新たな計測値が上書きされてこれが失われることとなる。
【０００６】
したがって、従来の送受信システムでは、送信側手段と受信側手段との間の通信が長時間に亘って途絶したときなどに、計測器から出力された各計測値のうちの最先の計測値から順に、一定時間分の計測値が連続して失われてしまうこととなる。このため、測定対象の変化をある程度の時間に亘って観測しているときなどには、その後に通信状態が復帰したとしても、計測値が存在しない時間帯が生じてしまうため、この計測値が存在しない時間帯内の測定対象の状態を把握するのが困難になるという問題点がある。
【０００７】
一方、リングバッファメモリの容量、すなわち、記憶領域の数を増加させることで、ある程度長い時間に亘って通信途絶状態が続いたとしても、計測値が失われる事態を回避して、一連の測定処理時に計測値が存在しない時間帯が生じるのを回避できる可能性がある。しかしながら、リングバッファメモリの容量を増加させる場合には、部品コストの高騰に伴って装置の製造コストが高騰すると共に、メモリ素子の大形化やメモリ素子の実装数の増加に伴って装置の大形化を招くという新たな問題が生じることとなる。
【０００８】
本発明は、かかる問題点に鑑みてなされたものであり、製造コストの高騰や装置の大形化を招くことなく、測定値が存在しない時間帯が生じるのを回避し得る測定装置および測定システムを提供することを主目的とする。
【課題を解決するための手段】
【０００９】
上記目的を達成すべく請求項１記載の測定装置は、測定対象の物理量を測定して測定値を出力する測定処理を実行する測定部と、Ｎ個（Ｎは、３以上の自然数）の前記測定値を記憶可能に１番目からＮ番目までのＮ個の測定値記憶領域が規定された記憶部と、前記測定部を制御して前記測定処理を実行させると共に当該測定部から出力された前記測定値を前記記憶部の前記各測定値記憶領域に順次記憶させる処理部とを備えた測定装置であって、前記処理部は、Ｍ番目（Ｍは、２以上Ｎ以下の自然数）の前記測定値記憶領域まで前記測定値を記憶させたときに、当該各測定値記憶領域に記憶されている当該各測定値に代えて当該各測定値を圧縮した圧縮データを当該各測定値記憶領域の前記１番目から順次記憶させる第１処理を実行し、その後に、前記Ｍ番目の測定値記憶領域まで前記測定値を記憶させたときに、当該各測定値記憶領域に記憶されている当該各測定値に代えて当該各測定値を圧縮した圧縮データを、既に前記圧縮データを記憶済みの前記測定値記憶領域に続けて順次記憶させる第２処理を予め規定された終了条件が満たされるまで繰り返して実行する。
【００１０】
また、請求項２記載の測定装置は、測定対象の物理量を測定して測定値を出力する測定処理を実行する測定部と、Ｎ個（Ｎは、３以上の自然数）の前記測定値を記憶可能に１番目からＮ番目までのＮ個の測定値記憶領域が規定された記憶部と、前記測定部を制御して前記測定処理を実行させると共に当該測定部から出力された前記測定値を前記記憶部の前記各測定値記憶領域に順次記憶させる処理部とを備えた測定装置であって、前記処理部は、Ｍ番目（Ｍは、２以上Ｎ以下の自然数）の前記測定値記憶領域まで前記測定値を記憶させたときに、当該各測定値記憶領域に記憶されている当該各測定値に代えて当該各測定値を圧縮した圧縮データを当該各測定値記憶領域の前記１番目から順次記憶させる処理Ａを実行し、その後に、前記Ｍ番目の測定値記憶領域まで前記測定値を記憶させたときに、当該各測定値記憶領域に記憶されている前記圧縮データおよび当該各測定値に代えて当該圧縮データおよび当該各測定値を圧縮した圧縮データを前記各測定値記憶領域の前記１番目から順次記憶させる処理Ｂを予め規定された終了条件が満たされるまで繰り返して実行する。
【００１１】
さらに、請求項３記載の測定装置は、請求項１または２記載の測定装置において、前記処理部の制御に従って前記測定値を外部装置に送信する通信部を備え、前記処理部は、前記記憶部に前記圧縮データが未記憶で、かつ前記測定値が記憶されている状態において予め規定された送信条件が満たされたときに、前記通信部を制御して当該測定値を送信させ、前記記憶部に前記測定値および前記圧縮データが記憶されている状態において前記送信条件が満たされたときに、前記通信部を制御して当該測定値および当該圧縮データを送信させる。
【００１２】
また、請求項４記載の測定システムは、請求項３記載の測定装置、および前記外部装置としての測定データ回収装置を備えて構成されている。
【発明の効果】
【００１３】
請求項１記載の測定装置によれば、Ｍ番目の測定値記憶領域まで測定値を記憶させたときに、各測定値記憶領域に記憶されている各測定値に代えてそれらを圧縮した圧縮データを各測定値記憶領域の１番目から順次記憶させる第１処理を実行し、その後に、Ｍ番目の測定値記憶領域まで測定値を記憶させたときに、各測定値記憶領域に記憶されている各測定値に代えてそれらを圧縮した圧縮データを既に圧縮データを記憶済みの測定値記憶領域に続けて順次記憶させる第２処理を予め規定された終了条件が満たされるまで繰り返して実行することにより、Ｍ番目の測定値記憶領域まで測定値を記憶させる都度、１番目からＭ番目までの各測定値記憶に記憶されている各測定値（既に記憶された圧縮データを除くデータ）に代えて、これらを圧縮した圧縮データが記憶部に記憶される分だけ、Ｎ個の測定値記憶領域に多数の測定値を記憶させることができる。このため、大容量のメモリ（記憶部）を搭載しなくても、数多くの測定値を欠落させることなく記憶部に記憶させることができる結果、測定装置の製造コストの高騰や大形化を招くことなく、測定値が存在しない時間帯（測定値の欠落）が生じるのを好適に回避することができる。これにより、測定値に基づいて、測定処理中の測定対象の状態を正確に把握することができる。
【００１４】
請求項２記載の測定装置によれば、Ｍ番目の測定値記憶領域まで測定値を記憶させたときに、各測定値記憶領域に記憶されている各測定値に代えてそれらを圧縮した圧縮データを各測定値記憶領域の１番目から順次記憶させる処理Ａを実行し、その後に、Ｍ番目の測定値記憶領域まで測定値を記憶させたときに、各測定値記憶領域に記憶されている圧縮データおよび各測定値に代えてそれらを圧縮した圧縮データを各測定値記憶領域の１番目から順次記憶させる処理Ｂを予め規定された終了条件が満たされるまで繰り返して実行することにより、Ｍ番目の測定値記憶領域まで測定値を記憶させる都度、１番目からＭ番目までの各測定値記憶領域に記憶されている各測定値、または、１番目からＭ番目までの各測定値記憶領域に記憶されている圧縮データおよび各測定値に代えて、これらを圧縮した圧縮データが記憶部に記憶される分だけ、Ｎ個の測定値記憶領域に多数の測定値を記憶させることができる。このため、大容量のメモリ（記憶部）を搭載しなくても、数多くの測定値を欠落させることなく記憶部に記憶させることができる結果、測定装置の製造コストの高騰や大形化を招くことなく、測定値が存在しない時間帯（測定値の欠落）が生じるのを好適に回避することができる。これにより、測定値に基づいて、測定処理中の測定対象の状態を正確に把握することができる。
【００１５】
請求項３記載の測定装置では、記憶部に測定値および圧縮データが記憶されている状態において送信条件が満たされたときに通信部から測定値および圧縮データを送信する。また、請求項４記載の測定システムでは、請求項３記載の測定装置と、外部装置としての測定データ回収装置とを備えて構成されている。
【００１６】
したがって、請求項３記載の測定装置、および請求項４記載の測定システムによれば、記憶部内に圧縮データが存在するときに、この圧縮データを解凍して生成した測定値を測定装置から測定データ回収装置に送信する構成と比較して、圧縮データをそのまま送信することで、測定装置から測定データ回収装置へのデータ送信量を低減することができると共にデータ送信時間を短縮することができる。
【図面の簡単な説明】
【００１７】
【図１】測定システム１００（測定装置１および測定データ回収装置２）のブロック図である。
【図２】測定装置１における記憶部１５内に規定された測定値記憶領域Ａ１〜ＡＮについて説明するための説明図である。
【図３】測定値記憶領域Ａ１〜Ａ３に測定データＤ１〜Ｄ３が記録された状態の記憶部１５について説明するための説明図である。
【図４】測定値記憶領域Ａ１〜ＡＭに測定データＤ１〜ＤＭが記録された状態の記憶部１５について説明するための説明図である。
【図５】測定値記憶領域Ａ１〜Ａ５に圧縮データＤｐ１が記録され、かつ測定値記憶領域Ａ６，Ａ７・・に測定データＤ（Ｍ＋１），Ｄ（Ｍ＋２）・・が記録された状態の記憶部１５について説明するための説明図である。
【図６】測定値記憶領域Ａ１〜Ａ５に圧縮データＤｐ１が記録され、かつ測定値記憶領域Ａ６〜ＡＭに測定データＤ（Ｍ＋１）〜Ｄ（２Ｍ−５）が記録された状態の記憶部１５について説明するための説明図である。
【図７】測定値記憶領域Ａ１〜Ａ５に圧縮データＤｐ１が記録され、測定値記憶領域Ａ６〜Ａ１０に圧縮データＤｐ２が記録され、かつ測定値記憶領域Ａ１１，Ａ１２・・に測定データＤ（２Ｍ−４），Ｄ（２Ｍ−３）・・が記録された状態の記憶部１５について説明するための説明図である。
【図８】測定値記憶領域Ａ１〜Ａ１０に圧縮データＤｐａが記録され、かつ測定値記憶領域Ａ１１〜Ａ１４に測定データＤ（２Ｍ−４），Ｄ（２Ｍ−３）・・が記録された状態の記憶部１５について説明するための説明図である。
【発明を実施するための形態】
【００１８】
以下、本発明に係る測定装置および測定システムの実施の形態について、添付図面を参照して説明する。
【００１９】
図１に示す測定システム１００は、「測定システム」の一例であって、測定装置１および測定データ回収装置２を備えて構成されている。なお、この測定システム１００は、複数台の測定装置１、および複数台の測定データ回収装置２を備えて構成することもできるが、理解を容易とするために、１台の測定装置１、および１台の測定データ回収装置２で構成した例（１台の測定装置１および１台の測定データ回収装置２を使用して測定データを記録する例）について以下に説明する。
【００２０】
測定装置１は、「測定装置」の一例であって、測定部１１、操作部１２、表示部１３、通信部１４、記憶部１５および制御部１６を備えている。測定部１１は、「測定部」の一例であって、測定対象の物理量（電流値、電圧値、抵抗値、電力値および位相などの電気的パラメータや、温度、湿度、輝度（光度）、照度、雨量および流量などの各種パラメータ：一例として、温度）を測定する「測定処理」を実行する。具体的には、測定部１１は、図示しない温度センサを備えると共に、後述するように、制御部１６の制御に従い、所定時間間隔で温度センサからのセンサ信号に基づいて測定対象の温度を測定して測定データＤｓを生成し、生成した測定データＤｓを制御部１６に出力する。
【００２１】
操作部１２は、測定装置１による測定処理条件を設定するための操作スイッチや、測定処理を開始／停止するスタート／ストップスイッチなどの各種操作スイッチ（図示せず）を備え、スイッチ操作に応じた操作信号を制御部１６に出力する。表示部１３は、一例として液晶表示パネルを備え、制御部１６の制御に従い、測定結果や、測定装置１の動作状態などを表示する。
【００２２】
通信部１４は、「通信部」に相当し、一例として、無線通信が可能に構成されて、後述するように、測定データ回収装置２から送信された処理開始指示信号Ｓ０などを受信して制御部１６に転送すると共に、制御部１６の制御に従って各種のデータを測定データ回収装置２に送信する。なお、無線通信が可能な通信部１４に代えて（または、無線通信が可能な通信部１４に加えて）、有線通信によって測定データ回収装置２等の外部装置と通信可能な「通信部」を備えて構成することもできる。
【００２３】
記憶部１５は、「記憶部」の一例であって、後述するように制御部１６が測定部１１からの測定データＤｓに基づいて生成する測定データＤ１，Ｄ２・・（「測定値」の一例：以下、区別しないときには「測定データＤ」ともいう）や、制御部１６が測定データＤ１，Ｄ２・・等を圧縮して生成する圧縮データＤｐ１，Ｄｐ２・・（以下、区別しないときには「圧縮データＤｐ」ともいう）などを記憶する。この場合、図２に示すように、記憶部１５は、１番目の測定値記憶領域Ａ１からＮ番目までの測定値記憶領域ＡＮのＮ個の「測定値記憶領域」（以下、これらを区別しないときには「測定値記憶領域Ａ」ともいう）が規定されてＮ個の測定データＤを記憶することができるように構成されている。
【００２４】
制御部１６は、測定装置１を総括的に制御する。具体的には、制御部１６は、「処理部」に相当し、一例として、測定データ回収装置２から処理開始指示信号Ｓ０が送信されたときに、測定部１１を制御して測定処理を実行させる。また、制御部１６は、測定部１１から所定時間間隔で順次出力される測定データＤｓに基づいて測定データＤ１，Ｄ２・・を生成して記憶部１５の各測定値記憶領域Ａに記憶させる。さらに、制御部１６は、後述するように、予め規定された数の測定データＤが記憶部１５に記憶されたとき（「予め規定された送信条件が満たされたとき」の一例）に、測定データＤ等を記憶部１５から読み出して通信部１４から測定データ回収装置２に送信させる。
【００２５】
また、制御部１６は、記憶部１５内に予め規定された数の測定データＤを記憶させたとき（Ｍ番目の測定値記憶領域ＡＭまで測定データＤを記憶させたとき）に、これらの測定データＤを圧縮して圧縮データＤｐを生成し、圧縮する前の状態の測定データＤに代えて、生成した圧縮データＤｐを記憶部１５に記憶させる。
【００２６】
一方、測定データ回収装置２は、「外部装置」としての「測定データ回収装置」の一例であって、図１に示すように、ハードディスクドライブ２１、操作部２２、表示部２３、通信部２４、記憶部２５および制御部２６を備えている。ハードディスクドライブ２１は、後述するようにして測定装置１から送信されて記憶部２５に記憶された各測定データＤや、圧縮データＤｐが解凍されて生成された測定データＤなどを記憶する。なお、ハードディスクドライブ２１に代えて、フラッシュメモリや、光ディスクまたは光磁気ディスク等の各種の記憶媒体に測定データＤを記憶させる構成を採用することもできる。
【００２７】
操作部２２は、測定データ回収装置２の動作条件や、後述するように、ハードディスクドライブ２１に記憶させる測定データＤからなるファイルのファイル名等を入力操作するための操作スイッチを備え、スイッチ操作に応じた操作信号を制御部２６に出力する。表示部２３は、一例として、液晶表示パネルを備え、制御部２６の制御に従って各種表示画面を表示する。
【００２８】
通信部２４は、一例として、測定装置１の通信部１４と無線通信可能に構成されて、後述するように、制御部２６の制御に従って測定装置１に処理開始指示信号Ｓ０等を送信すると共に、測定装置１から送信された測定データＤや圧縮データＤｐを受信して制御部２６に転送する。なお、有線通信が可能な「通信部」を測定装置１に設けた場合には、無線通信が可能な通信部２４に代えて（または、無線通信が可能な通信部２４に加えて）有線通信が可能な通信部を測定データ回収装置２に設けることで、測定装置１との間で各種の通信を行うことができる。記憶部２５は、制御部２６の制御に従って上記の測定データＤや圧縮データＤｐを一時的に記憶する。
【００２９】
制御部２６は、測定データ回収装置２を総括的に制御する。具体的には、制御部２６は、一例として、利用者によって予め設定された条件に従い、通信部２４を制御して測定装置１に処理開始指示信号Ｓ０を送信させて「測定処理」を実行させる。また、制御部２６は、測定装置１から送信されて通信部２４によって受信された測定データＤや圧縮データＤｐを記憶部２５に記憶させる。さらに、制御部２６は、記憶部２５に記憶させた測定データＤをハードディスクドライブ２１に記憶させる。この場合、制御部２６は、記憶部２５に圧縮データＤｐが記憶されているときに、この圧縮データＤｐを解凍して複数の測定データＤを生成してハードディスクドライブ２１に記憶させる。
【００３０】
なお、本例の測定システム１００では、一例として、上記の測定データ回収装置２が携帯型のパーソナルコンピュータで構成されている。この場合、携帯型のパーソナルコンピュータで構成された測定データ回収装置２に代えて、専用の測定データ回収装置（パーソナルコンピュータ等の汎用の装置を利用しない構成）を「測定データ回収装置」として採用して「測定システム」を構成することもできる。
【００３１】
この測定システム１００によって、測定対象の温度変化を測定データ回収装置２においてモニタリングする際には、一例として、測定装置１の操作部１２を操作して温度の測定条件（測定レンジや測定時間間隔等）を設定する。次いで、測定データ回収装置２の操作部２２を操作することにより、測定装置１による温度の測定処理を開始させる。この際に、測定データ回収装置２では、制御部２６が通信部２４を制御して測定装置１に処理開始指示信号Ｓ０を送信させる。一方、測定装置１では、通信部１４が処理開始指示信号Ｓ０を受信して制御部１６に転送し、制御部１６が転送された処理開始指示信号Ｓ０に応じて測定部１１を制御することで測定処理を開始させる。
【００３２】
これに応じて、測定部１１は、予め設定された測定条件に従って測定対象の温度を所定時間間隔で測定すると共に、測定した温度（測定値）を示す測定データＤｓを制御部１６に逐次出力する。また、制御部１６は、測定部１１から測定データＤｓが出力される都度、測定データＤ１，Ｄ２・・を生成して記憶部１５に記憶させる。この際に、制御部１６は、図３に示すように、最初に生成した測定データＤ１を記憶部１５の１番目の測定値記憶領域Ａ１に記憶させ、２番目に生成した測定データＤ２を２番目の測定値記憶領域Ａ２に記憶させる。なお、同図では、３番目に生成した測定データＤ３を３番目の測定値記憶領域Ａ３に記憶させた状態を図示している。
【００３３】
一方、測定部１１からの測定データＤｓに基づく測定データＤの生成、および生成した測定データＤの測定値記憶領域Ａへの記憶を繰り返すことにより、一例として、８番目の測定値記憶領域Ａ８まで測定データＤを記憶させたときに（「予め規定された送信条件が満たされたとき」の一例）、制御部１６は、記憶部１５（各測定値記憶領域Ａ）から測定データＤを読み出して通信部１４から測定データ回収装置２に送信させる。なお、「送信条件が満たされたとき」は、上記の例に限定されず、「送信開始を指示する操作が行われたとき」や、「測定データ回収装置２からの送信要求信号を受信したとき」などがこれに含まれる。
【００３４】
この際に、測定装置１の通信部１４と測定データ回収装置２の通信部２４との間に何らかの通信障害が生じて測定装置１から測定データ回収装置２に測定データＤを送信することができなかったときに、制御部１６は、測定データ回収装置２への測定データＤの送信を繰り返して実行させつつ（測定データＤの送信を試みつつ）、測定部１１からの測定データＤｓに基づく測定データＤの生成、および生成した測定データＤの記憶部１５（測定値記憶領域Ａ）への記憶を継続して実行する。
【００３５】
また、測定データ回収装置２に対する測定データＤの送信が行われることなく、記憶部１５に対する測定データＤの記憶処理が継続されて、図４に示すように、Ｎ個の測定値記憶領域ＡのうちのＭ番目の測定値記憶領域ＡＭまで測定データＤ１〜ＤＭを記憶させたときに、制御部１６は、各測定値記憶領域Ａ１〜ＡＭに記憶されている測定データＤ１〜ＤＭに代えて、各測定データＤ１〜ＤＭを圧縮した圧縮データＤｐ１を生成する。この場合、制御部１６は、ＺＩＰ、ＬＺＭＡおよびＧＺＩＰ等の公知の圧縮アルゴリズムに従って測定データＤ，Ｄ・・を圧縮しつつパッケージングすることにより、基となる測定データＤ，Ｄ・・の合計データサイズよりも小さなデータサイズの圧縮データＤｐを生成する。本例では、一例として、測定データＤ１〜ＤＭのＭ個の測定データＤを圧縮することにより、測定データＤの５個分のデータサイズの圧縮データＤｐ１が生成されるものとする。
【００３６】
次いで、制御部１６は、図５に示すように、生成した圧縮データＤｐ１を記憶部１５の１番目の測定値記憶領域Ａ１から５番目の測定値記憶領域Ａ５に分散して記憶させる（「圧縮データを各測定値記憶領域の１番目から順次記憶させる」との処理の一例）。なお、上記の圧縮データＤｐ１の生成（測定データＤ１〜ＤＭの圧縮）を行っている間に測定部１１から測定データＤｓが出力されたときには、測定データＤＭの生成以降に出力された測定データＤｓに基づくＤ（Ｍ＋１），Ｄ（Ｍ＋２）・・が測定値記憶領域Ａ（Ｍ＋１），Ａ（Ｍ＋２）・・に順次記憶される。したがって、制御部１６は、測定データＤ１〜ＤＭに代えて圧縮データＤｐ１を測定値記憶領域Ａ１〜Ａ５に記憶させたときに、同図に示すように、領域Ａ（Ｍ＋１），Ａ（Ｍ＋２）・・に記憶されているＤ（Ｍ＋１），Ｄ（Ｍ＋２）・・を、圧縮データＤｐ１に続けて測定値記憶領域Ａ６，Ａ７・・に記憶させる。以上により、「第１処理」が完了する。
【００３７】
なお、上記の「Ｍ番目」における「Ｍ」の値については、記憶部１５内に規定する測定値記憶領域Ａの数（「Ｎ」の値）や、測定部１１が実行する測定処理の条件（測定時間間隔、つまり単位時間当たりに測定部１１から出力される測定データＤｓの数）に応じて任意に設定することができる。この場合、「Ｍ」の値を過剰に大きく設定し過ぎると（（Ｎ−Ｍ）の値が小さ過ぎると）、圧縮データＤｐの生成中に測定部１１から出力される測定データＤｓに基づいて生成した測定データＤを記憶可能な測定値記憶領域Ａの数が不足するおそれがある。一方で、「Ｍ」の値を過剰に小さくし過ぎると、測定データＤの圧縮処理を実行する頻度が高まる結果、測定データＤｓに基づく測定データＤの生成および記憶部１５への測定データＤの記憶の処理と並行して圧縮データＤｐを生成する処理を実行するのが困難となるおそれがある。
【００３８】
したがって、上記の「Ｍ」の値については、１番目の測定値記憶領域Ａ１からＮ番目の測定値記憶領域ＡＮまでのＮ個の測定値記憶領域Ａが存在するときに、（Ｎ−Ｍ）個の測定値記憶領域Ａに新たな測定データＤが記憶されるのに要する時間内に、測定データＤ，Ｄ・・の圧縮（圧縮データＤｐの生成）、および生成した圧縮データＤｐの記憶部１５への記憶を完了することができると共に、測定データＤ，Ｄ・・の圧縮（圧縮データＤｐの生成）と並行して、測定データＤｓに基づく新たな測定データＤの生成、および生成した測定データＤの記憶部１５への記憶を完了することができるように設定するのが好ましい。
【００３９】
また、測定データ回収装置２に対する測定データＤの送信が行われることなく、測定部１１からの測定データＤｓに基づく測定データＤを記憶部１５に記憶させる処理を継続することにより、図６に示すように、Ｎ個の測定値記憶領域ＡのうちのＭ番目の測定値記憶領域ＡＭまで測定データＤ（Ｍ＋１）〜Ｄ（２Ｍ−５）を記憶させたときに、制御部１６は、各測定値記憶領域Ａ１〜ＡＭに記憶されている測定データＤ（この例では、測定値記憶領域Ａ６〜ＡＭに記憶されている測定データＤ（Ｍ＋１）〜Ｄ（２Ｍ−５））に代えて、この測定データＤを圧縮した圧縮データＤｐ２を生成する。
【００４０】
次いで、図７に示すように、制御部１６は、生成した圧縮データＤｐ２を記憶部１５の６番目の測定値記憶領域Ａ６から１０番目の測定値記憶領域Ａ１０に分散して記憶させる（「圧縮データを既に圧縮データを記憶済みの測定値記憶領域に続けて順次記憶させる」との処理の一例）。また、制御部１６は、上記の圧縮データＤｐ２の生成（測定データＤ（Ｍ＋１）〜Ｄ（２Ｍ−５）の圧縮）を行っている間に測定値記憶領域Ａ（Ｍ＋１），Ａ（Ｍ＋２）・・に順次記憶させた測定データＤ（２Ｍ−４），Ｄ（２Ｍ−３）・・を圧縮データＤｐ２に続けて測定値記憶領域Ａ１１，Ａ１２・・に記憶させる。以上により、１回目の「第２処理」が完了する。
【００４１】
この後、制御部１６は、測定部１１からの測定データＤｓに基づく測定データＤをＭ番目の測定値記憶領域ＡＭまで記憶させる都度、上記の「第２処理」と同様にして、１番目の測定値記憶領域Ａ１からＭ番目の測定値記憶領域ＡＭまでのＭ個の測定値記憶領域Ａに記憶されている測定データＤ（圧縮データＤｐ１，ＤＰ２・・を除くデータ）を圧縮して圧縮データＤｐを生成し、生成した圧縮データＤｐを、その圧縮データＤｐの基となる測定データＤに代えて記憶部１５（測定値記憶領域Ａ）に記憶させる処理を実行する（２回目以降の「第２処理」の一例）。
【００４２】
一方、測定装置１（通信部１４）と測定データ回収装置２（通信部２４）との通信状態が良好となって測定装置１から測定データ回収装置２への測定データＤ等の送信が可能となったときに、制御部１６は、記憶部１５に記憶されている圧縮データＤｐおよび測定データＤを測定データ回収装置２に送信させる。具体的には、本例では、上記したように「８番目の測定値記憶領域Ａ８まで測定データＤを記憶させる」との条件が満たされているこの時点において、「予め規定された送信条件」が既に満たされているため、制御部１６は、記憶部１５から測定データＤ等を読み出して通信部１４から測定データ回収装置２に送信させる。
【００４３】
具体的には、一例として、記憶部１５の測定値記憶領域Ａ１〜Ａ５、測定値記憶領域Ａ６〜Ａ１０、および測定値記憶領域Ａ１１〜Ａ１５に圧縮データＤｐがそれぞれ記憶されると共に、測定値記憶領域Ａ１６，Ａ１７・・に、測定データＤ，Ｄ・・が記憶されている（「記憶部に測定値および圧縮データが記憶されている状態」の一例）ものとする。この際に、制御部１６は、記憶部１５の各測定値記憶領域Ａから、各圧縮データＤｐおよび各測定データＤを読み出して通信部１４から測定データ回収装置２（通信部２４）に順次送信させる。
【００４４】
また、測定データ回収装置２では、通信部２４が測定装置１（通信部１４）から送信された各圧縮データＤｐおよび各測定データＤを受信して制御部２６に転送し、制御部２６が、転送された各圧縮データＤｐおよび各測定データＤを記憶部２５に順次記憶させる。さらに、制御部２６は、まず、各圧縮データＤｐ１を順次解凍して測定データＤ，Ｄ・・を生成し、生成した測定データＤ，Ｄ・・をハードディスクドライブ２１に記憶させると共に、すべての圧縮データＤｐの解凍（圧縮データＤｐとして圧縮された測定データＤのハードディスクドライブ２１への記憶）を完了したときに、記憶部２５内の測定データＤ，Ｄ・・をハードディスクドライブ２１に記憶させる。これにより、測定データ回収装置２のハードディスクドライブ２１に、測定装置１の記憶部１５に記憶されていた各測定データＤ，Ｄ・・が欠落することなく測定順に記憶される。したがって、ハードディスクドライブ２１に記憶させた各測定データＤに基づく測定結果（グラフ等）を表示部２３に表示させることにより、測定対象の温度変化を、時間を追って観察することが可能となる。
【００４５】
なお、上記の例では、３つ目の圧縮データＤｐの生成を完了した後に測定装置１から測定データ回収装置２に圧縮データＤｐおよび測定データＤを送信しているが、圧縮データＤｐ１の生成、および記憶部１５への記憶を完了し、圧縮データＤｐ２の生成を開始していない時点において測定装置１から測定データ回収装置２に測定データＤ等を送信可能な状態となったときには、圧縮データＤｐ１および測定データＤ（Ｍ＋１），Ｄ（Ｍ＋２）・・が測定装置１から測定データ回収装置２に送信される。また、圧縮データＤｐ１の生成を開始していない時点において測定装置１から測定データ回収装置２に測定データＤ等を送信可能な状態となったときには（「圧縮データが未記憶で、かつ測定値が記憶されている状態」の一例）、測定データＤ１，Ｄ２・・が測定装置１から測定データ回収装置２に送信される。
【００４６】
また、この測定装置１では、一例として、測定値記憶領域Ａ１，Ａ２・・に記憶されている圧縮データＤｐ１（または、測定データＤ１，Ｄ２・・）を測定データ回収装置２に送信した後に、この測定値記憶領域Ａ１，Ａ２・・を空き領域（新たな測定データＤ等の記憶に使用可能な領域）として、新たに生成した測定データＤを測定値記憶領域Ａ１から順次記憶させる構成が採用されている。一方、予め設定された測定処理の終了条件が満たされたとき（一例として、設定された終了時刻が到来したとき）に、制御部１６は、測定部１１を制御して「測定処理」を終了させる。この際に、測定データ回収装置２に対する送信を完了していない圧縮データＤｐや測定データＤが記憶部１５内に存在するときには、制御部１６は、この未送信の圧縮データＤｐや測定データＤの送信を完了した時点において、一連の「測定処理」を終了する。
【００４７】
なお、上記の例とは相異するが、測定装置１と測定データ回収装置２との間の通信状態が改善されずに、圧縮データＤｐおよび測定データＤ等を測定装置１から測定データ回収装置２に送信することができない時間が長時間に亘って継続したときに、制御部１６は、「測定データ回収装置２に対して測定データＤや圧縮データＤｐ等を送信することができるようになった」との条件（「予め規定された終了条件」の一例）、「記憶部１５内に圧縮データＤｐや測定データＤを記憶可能な測定値記憶領域Ａが存在しなくなったとき」との条件（「予め規定された終了条件」の他の一例）、および、「予め設定された測定処理の終了条件が満たされたとき」との条件（「予め規定された終了条件」のさらに他の一例）のいずれかが満たされるまで、上記の「第２処理」を繰り返して実行する。
【００４８】
また、制御部１６は、測定装置１と測定データ回収装置２との間の通信状態が良好となったときに、上記の例と同様にして記憶部１５内の圧縮データＤｐおよび測定データＤを通信部１４から測定データ回収装置２に送信させる。これにより、上記の例と同様にして測定装置１から測定データ回収装置２への測定データＤの回収が完了する。
【００４９】
このように、この測定装置１および測定システム１００では、Ｍ番目の測定値記憶領域Ａ（上記の例では、測定値記憶領域ＡＭ）まで測定データＤを記憶させたときに、各測定値記憶領域Ａに記憶されている各測定データＤに代えてそれらを圧縮した圧縮データＤｐを各測定値記憶領域Ａの１番目（測定値記憶領域Ａ１）から順次記憶させる「第１処理」を実行し、その後に、Ｍ番目の測定値記憶領域Ａまで測定データＤを記憶させたときに、各測定値記憶領域Ａに記憶されている各測定データＤに代えてそれらを圧縮した圧縮データＤｐを、既に圧縮データＤｐを記憶済みの測定値記憶領域（測定値記憶領域Ａ１〜Ａ５）に続けて順次記憶させる「第２処理」を予め規定された終了条件が満たされるまで繰り返して実行する。
【００５０】
したがって、この測定装置１および測定システム１００によれば、Ｍ番目の測定値記憶領域ＡＭまで測定データＤを記憶させる都度、１番目からＭ番目までの各測定値記憶領域Ａに記憶されている各測定データＤ（既に記憶された圧縮データＤｐを除くデータ）に代えて、これらを圧縮した圧縮データＤｐが記憶部１５に記憶される分だけ、測定値記憶領域Ａ１〜ＡＮに多数の測定データＤを記憶させることができる。このため、大容量のメモリ（記憶部）を搭載しなくても、数多くの測定データＤを欠落させることなく記憶部１５に記憶させることができる結果、測定装置１の製造コストの高騰や大形化を招くことなく、測定データＤが存在しない時間帯（測定データＤの欠落）が生じるのを好適に回避することができる。これにより、測定データＤに基づいて、測定処理中の測定対象の状態を正確に把握することができる。
【００５１】
また、この測定装置１では、記憶部１５に測定データＤおよび圧縮データＤｐが記憶されている状態において「送信条件」が満たされたときに通信部１４から測定データＤおよび圧縮データＤｐを送信する。また、この測定システム１００では、上記の測定装置１と、「外部装置」としての測定データ回収装置２とを備えて構成されている。
【００５２】
したがって、この測定装置１および測定システム１００によれば、記憶部１５内に圧縮データＤｐが存在するときに、この圧縮データＤｐを解凍して生成した測定データＤ，Ｄ・・を測定装置１から測定データ回収装置２に送信する構成と比較して、圧縮データＤｐをそのまま送信することで、測定装置１から測定データ回収装置２へのデータ送信量を低減することができると共にデータ送信時間を短縮することができる。
【００５３】
なお、「測定装置」や「測定システム」の構成は、上記の測定装置１や測定システム１００の構成に限定されない。例えば、上記の例では、１番目の測定値記憶領域Ａ１から５番目の測定値記憶領域Ａ５までの５個の測定値記憶領域Ａに圧縮データＤｐ１が記憶されている状態（「第１処理」が完了した状態）において、再びＭ番目の測定値記憶領域Ａまで測定データＤを記憶させたときに、測定値記憶領域Ａ６〜ＡＭに記憶されている測定データＤ，Ｄ・・だけを圧縮して圧縮データＤｐ２を生成し、６番目の測定値記憶領域Ａ６から１０番目の測定値記憶領域Ａ１０までの５個の測定値記憶領域Ａに圧縮データＤｐ２を記憶させる処理を「第２処理」として実行しているが、既に生成した「圧縮データ」および測定データＤをまとめて圧縮した新たな「圧縮データ」を記憶部１５に記憶させる構成を採用することもできる。
【００５４】
具体的には、まず、上記の「第１処理」を「処理Ａ」として実行することにより、図６に示すように、圧縮データＤｐ１を測定値記憶領域Ａ１〜Ａ５に記憶させる。次いで、その状態において測定値記憶領域Ａ６〜ＡＭに測定データＤ６〜ＤＭを記憶させたときに（「Ｍ番目の測定値記憶領域まで測定データＤを記憶させたとき」の一例）、各測定値記憶領域Ａ１〜Ａ５に記憶されている圧縮データＤｐ１、および各測定データＤ（Ｍ＋１），Ｄ（Ｍ＋２）・・を圧縮して圧縮データＤｐａを生成し、図８に示すように、生成した圧縮データＤｐａを、圧縮データＤｐ１、および各測定データＤ（Ｍ＋１），Ｄ（Ｍ＋２）・・に代えて、１番目の測定値記憶領域Ａ１から１０番目の測定値記憶領域Ａ１０に分散して記憶させる（「圧縮データを各測定値記憶領域の１番目から順次記憶させる」との処理の一例）。これにより、１回目の「処理Ｂ」が完了する。
【００５５】
また、その状態において測定値記憶領域Ａ１１〜ＡＭに新たな測定データＤ，Ｄ・・を記憶させたときに（「Ｍ番目の測定値記憶領域まで測定データＤを記憶させたとき」の他の一例）、各測定値記憶領域Ａ１〜Ａ１０に記憶されている圧縮データＤｐａ、および各測定データＤ，Ｄ・・を圧縮して新たな圧縮データＤｐａを生成し、生成した圧縮データＤｐａを、その圧縮データＤｐａを生成する前の状態の圧縮データＤｐａ、および各測定データＤ，Ｄ・・に代えて、１番目の測定値記憶領域Ａ１から１５番目の測定値記憶領域Ａ１５に分散して記憶させる（「圧縮データを各測定値記憶領域の１番目から順次記憶させる」との処理の他の一例：図示せず）。これにより、２回目の「処理Ｂ」が完了する。この後、この「処理Ｂ」を「予め規定された終了条件」が満たされるまで繰り返して実行する。
【００５６】
さらに、「予め規定された送信条件」が満たされたときに、記憶部１５（各測定値記憶領域Ａ）内に圧縮データＤｐが未記憶で、かつ測定データＤが記憶されているときには、通信部１４から測定データ回収装置２（通信部２４）に測定データＤを送信し、測定データＤおよび圧縮データＤｐ１が記憶されているときには、通信部１４から測定データ回収装置２に測定データＤおよび圧縮データＤｐ１を送信し、測定データＤおよび圧縮データＤｐａが記憶されているときには、通信部１４から測定データ回収装置２に測定データＤおよび圧縮データＤｐａを送信する。なお、測定装置１から測定データ回収装置２に測定データＤや圧縮データＤｐ（Ｄｐａ）が送信されたときに測定データ回収装置２において実行される各処理については、上記の例と同様のため、その説明を省略する。
【００５７】
このような構成の測定装置１および測定システム１００によれば、Ｍ番目の測定値記憶領域ＡＭまで測定データＤを記憶させる都度、１番目からＭ番目までの各測定値記憶領域Ａに記憶されている各測定データＤ、または、１番目からＭ番目までの各測定値記憶領域Ａに記憶されている圧縮データＤｐ１（または、圧縮データＤｐａ）および各測定データＤに代えて、これらを圧縮した圧縮データＤｐ１（または、圧縮データＤｐａ）が記憶部１５に記憶される分だけ、測定値記憶領域Ａ１〜ＡＮに多数の測定データＤを記憶させることができる。このため、大容量のメモリ（記憶部）を搭載しなくても、数多くの測定データＤを欠落させることなく記憶部１５に記憶させることができる結果、測定装置１の製造コストの高騰や大形化を招くことなく、測定データＤが存在しない時間帯（測定データＤの欠落）が生じるのを好適に回避することができる。これにより、測定データＤに基づいて、測定処理中の測定対象の状態を正確に把握することができる。
【００５８】
また、１番目からＮ番目までのＮ個の測定値記憶領域Ａに測定データＤや圧縮データＤｐ（Ｄｐａ）を順次記憶させ、これらの測定データＤや圧縮データＤｐ（Ｄｐａ）の測定データ回収装置２に対する送信が完了したときに、測定データＤや圧縮データＤｐ（Ｄｐａ）が記憶されていた各測定値記憶領域Ａに測定データＤ等を再び記憶させる構成を例に挙げて説明したが、記憶部１５内に規定したＮ個の測定値記憶領域Ａをリングバッファ形式の記憶部として使用する構成を採用することもできる。このような構成においては、各測定値記憶領域Ａのうちの最先の測定データＤが記録されている測定値記憶領域Ａ、または最先の圧縮データＤｐ（Ｄｐａ）が記録されている各測定値記憶領域Ａのうちの先頭の測定値記憶領域Ａを「１番目の測定値記憶領域」として各測定値記憶領域Ａに圧縮データＤｐ（Ｄｐａ）や測定データＤを記憶させればよい。
【００５９】
さらに、測定装置１における測定処理と並行して、測定装置１から測定データ回収装置２に測定データＤや圧縮データＤｐ（Ｄｐａ）を送信する構成を例に挙げて説明したが、測定処理時には、測定装置１の記憶部１５に測定データＤや圧縮データＤｐ（圧縮データＤｐａ）を記憶させておくだけで、測定処理の完了後に、無線通信や有線通信によって測定装置１から測定データ回収装置２に測定データＤや圧縮データＤｐ（Ｄｐａ）を送信する構成を採用することもできる。また、記憶部１５として各種のリムーバブルメディアを採用して、測定処理の完了後に、この記憶部１５を測定装置１から取り外して測定データ回収装置２等の外部装置において測定データＤや圧縮データＤｐ（Ｄｐａ）を読み出す構成を採用することもできる。これらの構成においても、「測定装置」の製造コストの高騰や大形化を招くことなく、測定データＤが存在しない時間帯（測定データＤの欠落）が生じるのを好適に回避することができる。これにより、測定データＤに基づいて、測定処理中の測定対象の状態を正確に把握することができる。
【符号の説明】
【００６０】
１００  測定システム
１  測定装置
２  測定データ回収装置
１１  測定部
１４，２４  通信部
１５，２５  記憶部
１６，２６  制御部
２１  ハードディスクドライブ
Ａ，Ａ１〜ＡＮ  測定値記憶領域
Ｄ１，Ｄ２・・  測定データ
Ｄｐ１，Ｄｐ２・・，Ｄｐａ  圧縮データ
Ｄｓ  測定データ
Ｓ０  処理開始指示信号
【図１】
2014110600.tif 000003
【図２】
2014110600.tif 000004
【図３】
2014110600.tif 000005
【図４】
2014110600.tif 000006
【図５】
2014110600.tif 000007
【図６】
2014110600.tif 000008
【図７】
2014110600.tif 000009
【図８】
2014110600.tif 000010